(57)【要約】  本発明は、ホログラフィック記録媒体（１０６）に記録されたデータページを読み出し、ブロック(block)変調符号を用い変調されたデータを運ぶための光学的ホログラフィック装置及び対応する方法に関する。ブロック変調符号に従い、データページは幾つかのブロックに分けられ、所定の記号値を持つブロック内のデータ記号数を定義するのに符号制約が適用される。ブロック変調符号のブロックのアラインメントを決定するための如何なるアラインメントマークの保存をも避けるため、前記アラインメントのために前記符号制約が遂行されたかどうかを、各反復におけるブロックの異なるアラインメントのため、反復的に決定する事により検出された画像化データページのブロックのアラインメントを決定するためのアラインメント手段（１１５）及び前記ブロックの前記決定されたアラインメントに基づき前記検出された画像化データページから前記ブロック変調データを復号化する復号化手段（１１６）を有する装置が提案される。
2010504551.tif 000002
【特許請求の範囲】
【請求項１】
ホログラフィック記録媒体に記録されたデータページを読み出すため、及びデータページを幾つかのブロックに分割し、符号制約を適用し、所定の記号値を有するブロックのデータ記号数を定義するブロック変調符号を用い変調されたデータを運ぶための光学的ホログラフィック装置で、その装置は：
画像化データページを形成するための画像形成手段、
前記画像化データページを検出するための画像検出手段、
前記アラインメントのために前記符号制約が遂行されたかどうかを、各反復におけるブロックの異なるアラインメントのため、反復的に決定する事により前記検出された画像化データページのブロックのアラインメントを決定するためのアラインメント手段、及び
前記ブロックの前記決定されたアラインメントに基づき前記検出された画像化データページから前記ブロック変調データを復号化するための復号化手段
を含む光学的ホログラフィック装置。
【請求項２】
前記変調符号は、バランスされた変調符号で、前記変調符号に従い、符号制約は適用され、第１記号値、特にビット値０を有するブロックのデータ記号の数は、第２記号値、特にビット値１を有する同じブロックのデータ記号の数と同じである事を定義する請求項１に請求された光学的ホログラフィック装置。
【請求項３】
前記変調符号は、バランスされていない変調符号で、前記変調符号に従い、符号制約は適用され、第１記号値、特にビット値０を有するブロックのデータ記号の数は、第２記号値、特にビット値１を有する同じブロックのデータ記号の数から異なる事を定義し、前記数は、全てのブロックにつき同じで、アラインメント手段に知られている請求項１に請求された光学的ホログラフィック装置。
【請求項４】
前記アラインメント手段は、ブロックごとの記号値及び前記決定された画像化データページの幾つかのブロックに基づき、各反復において，有意値又は関数を決定するのに適合され、及び前記反復に適用されたブロックのアラインメントについて、前記符号制約が前記有意値又は関数に基づき遂行されたかどうか決定するのに適合された請求項１に請求された光学的ホログラフィック装置。
【請求項５】
前記アラインメント手段は、各反復において，前記数のブロックについての記号値の合計及び／又は積算強度値を有意値又は関数として決定するのに適合された請求項４に請求された光学的ホログラフィック装置。
【請求項６】
前記アラインメント手段は、各反復において，ブロックの積算記号又は強度値を見つける確率を示す確率関数を決定するのに適合され、且つ前記反復に適用されたブロックのアラインメントについて、前記符号制約が前記確率関数に基づき遂行されたかどうか決定するのに適合された請求項４に請求された光学的ホログラフィック装置。
【請求項７】
前記アラインメント手段は、前記確率関数の幅を決定するのに適合され、且つ前記幅が所定幅より小さいかどうかを決定するのに適合された請求項６に請求された光学的ホログラフィック装置。
【請求項８】
ホログラフィック記録媒体に記録されたデータページを読み出すため、及びデータページを幾つかのブロックに分割し、符号制約を適用し、所定の記号値を有するブロックのデータ記号数を定義するブロック変調符号を用い変調されたデータを運ぶための請求項１に定義された光学的ホログラフィック装置に使用するための電子装置で、前記光学的ホログラフィック装置は画像化データページを形成するための画像形成手段と、前記画像化データページを検出するための画像検出手段とを含み、前記電子装置は：
前記アラインメントのために前記符号制約が遂行されたかどうかを、各反復におけるブロックの異なるアラインメントのため、反復的に決定する事により前記検出された画像化データページのブロックのアラインメントを決定するためのアラインメント手段、及び
前記ブロックの前記決定されたアラインメントに基づき前記検出された画像化データページから前記ブロック変調データを復号化するための復号化手段
を含む電子装置。
【請求項９】
ホログラフィック記録媒体に記録されたデータページを読み出し、且つデータページを幾つかのブロックに分割し、符号制約を適用し、所定の記号値を有するブロックのデータ記号数を定義するブロック変調符号を用い変調されたデータを運ぶための方法であって：
画像化データページを形成するステップ、
前記画像化データページを検出するステップ、
前記アラインメントのために前記符号制約が遂行されたかどうかを、各反復におけるブロックの異なるアラインメントのため、反復的に決定する事により前記検出された画像化データページのブロックのアラインメントを決定するステップ、及び
前記ブロックの前記決定されたアラインメントに基づき前記検出された画像化データページから前記ブロック変調データを復号化するステップ
を含む方法。
【請求項１０】
ホログラフィック記録媒体に記録されたデータページを読み出すため、及びデータページを幾つかのブロックに分割し、符号制約を適用し、所定の記号値を有するブロックのデータ記号数を定義するブロック変調符号を用い変調されたデータを運ぶための請求項１に定義された光学的ホログラフィック装置に使用するための方法で、前記光学的ホログラフィック装置は画像化データページを形成するための画像形成手段と、前記画像化データページを検出するための画像検出手段とを含み、前記方法は：
前記アラインメントのために前記符号制約が遂行されたかどうかを、各反復におけるブロックの異なるアラインメントのため、反復的に決定する事により前記検出された画像化データページのブロックのアラインメントを決定するステップ、及び
前記ブロックの前記決定されたアラインメントに基づき前記検出された画像化データページから前記ブロック変調データを復号化するステップ
を含む方法。
【請求項１１】
コンピュータプログラムがコンピュータで実行された時、前記コンピュータに請求項９又は１０に請求された方法を実行させるプログラムコード手段を含むコンピュータプログラム。
【発明の詳細な説明】
【技術分野】
【０００１】
本発明は、ホログラフィック記録媒体に記録されたデータページを読み出し、ブロック(block)変調符号を用い変調されたデータを運ぶための光学的ホログラフィック装置及び対応する方法に関する。ブロック変調符号に従い、データページは幾つかのブロックに分けられ、所定の記号値を持つブロック内のデータ記号数を定義するのに符号制約が適用される。本発明は更に、そのような光学的ホログラフィック装置中に使用するための電子装置及び対応する方法に関する。最後に、本発明は、ソフトウエアでその方法を実施するためのコンピュータプログラムに関する。
【背景技術】
【０００２】
ホログラフィックデータ保存システム(HDSS)は、大データ収納容量（１２ｃｍディスク上に１２Ｔバイト）及び高データ速（Ｇビット／秒）を約束する。ホログラフィックデータ保存の従来型光学的保存に対する利点は、それがデータを保存するために媒体の現実３Ｄ容量を使用し大収納容量を可能にしている事である。ホログラフィックデータ保存システムの外観は、「“Holographic  Data  Storage  Systems",  Lambertus  Hesselink,  Sergei  S.  Orlov,  and  Matthew  C.  Bashaw,  Proceedings  of  the  IEEE,  vol.  92,  no.  8,  pp.  1231-1280,  2004.」に与えられる。
【０００３】
ホログラフィックデータ保存において、データは度々、（バランスのとれた）ブロック変調符号を用い符号化される。ブロック変調符号は又、低ユーザービット誤り率を生み出すために、上述の参考文献に記述される。共通バランスブロック変調符号は、６：８符号で、そこではデータページは、２＊４（＝８）画素の下位配列(subarrays)（ブロックとも呼ばれる）に分けられ、これらの各下位配列は、正確に４つの０と４つの１（バランスのとれた符号）を含む。各下位配列７０（＝８選択４）のために異なる構成が可能なので、２6＝６４＜７０に従い下位配列毎に６ビットを符号化でき、６個の冗長な構成を残す。６ユーザービットは８画素を用い符号化されるので、明らかに符号レートは、６：８＝０．７５である。ひとたび各ブロックの位置が知られると、単純な分類アルゴリズムは、４つの０と４つの１を決定するために十分であるので、この符号化は、高性能である。
【０００４】
例えばＵＳ５，８３８，６５０に記述されたように、通常、各下位配列の位置を決定するために、基準、即ちアラインメントマークは、データページに組み入れられる。正しいアラインメントマークが検出器に検出回収されるまで、アラインメントマークは検出され、ホログラフィック媒体は翻訳され及び回転される。しかし、そのような検出方法は、高密度ホログラフィック媒体に適切ではない。というのはアラインメントマークは、ホログラフィック媒体中に空間を要し、可能なデータ密度／レートを減少するからである。
【先行技術文献】
【特許文献】
【０００５】
【特許文献１】ＵＳ５，８３８，６５０
【発明の概要】
【発明が解決しようとする課題】
【０００６】
本発明の目的は、ブロック変調符号のブロックのアラインメントを決定するための如何なるアラインメントマークも要さない、ホログラフィック記録媒体に記録されたデータページを読み出すための光学的ホログラフィック装置及び対応する方法を提供する事である。本発明の目的は更に、そのような光学的ホログラフィック装置中に使用するための電子装置及び対応する方法を提供する事、及びその方法を実施するためのコンピュータプログラムを提供する事である。
【課題を解決するための手段】
【０００７】
その目的は、請求項１に定義されたような光学的ホログラフィック装置により本発明に従い達成される。その装置は：
画像化データページを形成するための画像形成手段、
前記画像化データページを検出するための画像検出手段、
前記アラインメントのために前記符号制約が遂行されたかどうかを、各反復におけるブロックの異なるアラインメントのため、反復的に決定する事により前記検出された画像化データページ中のブロックのアラインメントを決定するためのアラインメント手段、及び
ブロックの決定されたアラインメントに基づき前記検出された画像化データページからブロック変調データを復号化するための復号化手段
を含む。
【０００８】
その目的は更に、請求項８に定義されたような電子装置により本発明に従い達成される。その装置は：
前記アラインメントのために前記符号制約が遂行されたかどうかを、各反復におけるブロックの異なるアラインメントのため、反復的に決定する事により前記検出された画像化データページ中のブロックのアラインメントを決定するためのアラインメント手段、及び
ブロックの決定されたアラインメントに基づき前記検出された画像化データページからブロック変調データを復号化するための復号化手段
を含む。
【０００９】
その目的は更に、請求項９又は１０に請求されたような方法のステップをコンピュータに実行させるプログラム符号手段を含むコンピュータプログラムにより、前記コンピュータプログラムがコンピュータ上で実行される時、本発明に従い達成される。
【００１０】
対応する方法は、更なる独立請求項に定義される。本発明の好ましい実施例は、従属項に定義される。電子装置、方法及びコンピュータプログラムは、従属項に定義されたように類似の及び／又は同一の好ましい実施例を持つ事は理解されるべきである。
【００１１】
本発明は、ブロック変調符号の与えられた符号制約が遂行されたかどうかを、異なるアラインメントのために反復的にチェックするという概念に基づく。例えば、バランスされたブロック６：８符号の上記説明例において、符号制約は、正確に４つの０と４つの１を含むことである。これは、与えられた反復と与えられたアラインメントにおいて、異なる方法で行うことができる、少なくとも１つ、好ましくは数ブロックについてチェックされる。もし正しいアラインメントが、１の反復において発見されるなら、その反復検索は停止され、発見されたアラインメントに基づき、検出された画像化データページは復号化される。
【００１２】
好ましい実施例に従い、本発明は一般に、バランスされた変調符号とバランスがとれていない変調符号の両方に適用される。理想的なアラインメントの検出は一般に、より正確でより容易である。バランスがとれていない符号は効率がより悪く、即ちより少ないユーザービットが、与えられた数のチャネルビット内に保存され得る。例えば、3”1”画素と5”0”画素で、バランスされた符号を用いた場合、７０の可能性より少ない５６のユニークな可能性がある。これはバランスされた符号を用い６ビットワードを符号化する代わりにバランスがとれていない符号を用いて５ビットワードのみを符号化できることを意味する。そのようなバランスがとれていない符号の符号効率は、５：８＝０．６２５となり、バランスされた符号の６：８＝０．７５の効率より少ない。しかし、両方の符号について、第１及び第２記号値を持つブロック内のデータ記号数は、全てのブロックについて同一でアラインメント手段にとって既知である事が一般に要求される。
【００１３】
更なる好ましい実施例に従い、アラインメント手段は、各反復において、ブロックごとの記号値に基づき及び前記決定済み画像化データページの数ブロックに基づく有意値又は関数を決定するために適合され、及び前記反復に適用されたブロックのアラインメントのために、前記有意値又は関数に基づき前記符号制約が遂行されたか否かの決定に適合される。前記有意値又は関数は一般的に、整列ブロックと非整列ブロックとの間の区別化を可能にする如何なる価値又は関数でもあり得る。好ましくは前記値又は関数は、それらが整列ブロック及び非整列ブロックについて大きい差を示すが、それらの決定は計算力及び収納スペースに関しほんの少額の諸経費のみ必要であるように選択される。
【００１４】
好ましい有意値又は関数についての有利な実施例は、更なる従属項において与えられる。例えば、もう１つの実施例に従いブロック中の積算記号値又は積算強度値を見つける確率を示す確率関数は、前記有意関数として用いられる一方、前記数のブロックについての記号値の合計及び／又は積算強度値は、１実施例に従い前記有意値として使われる。特に、前記確率関数の幅は、前記幅が所定の幅より小さいかどうかチェックするために決定され且つ用いられる。
【００１５】
本発明は、図面を参照してより詳細が説明される。
【図面の簡単な説明】
【００１６】
【図１】本発明に従う光学的ホログラフィック装置を示す。
【図２】バランスされた６：８ブロック変調符号の２＊４下位配列のための８つの異なるアラインメント構成を示す。
【図３】図２に示された構成２−５のための確率関数を示す。
【図４】本発明を図示するフローチャートを示す。
【発明を実施するための形態】
【００１７】
図１は、位相共役読み出しを用いる本発明に従う光学的ホログラフィック装置を示す。この光学的装置は、放射源１００、コリメータ１０１、第１ビーム分配器１０２、空間光変調器１０３、第２ビーム分配器１０４、レンズ１０５、第１偏光器１０７、第１望遠鏡１０８、第１鏡１０９、２分の１波長板１１０、第２鏡１１１、第２偏光器１１２、第２望遠鏡１１３、検出器１１４、アラインメントユニット１１５及び復号化ユニット１１６を含む。この光学的装置は、ホログラフィック媒体１０６からデータを読み且つ記録するように意図されている。
【００１８】
アラインメントユニット１１５及び復号化ユニット１１６は好ましくは、専用集積回路又は他のハードウエアのような電子装置１１７を形成し、それは独立して分配され且つ例えば、それは光学的ホログラフィック装置に加えられる事ができる。代替的にアラインメントユニット１１５及び復号化ユニット１１６の機能は又、ソフトウエア実行、例えばコンピュータ上又はマイクロプロセッサー上で実行可能である。
【００１９】
ホログラフィック媒体１０６にデータページの記録中に、放射源１００により生成された放射線束の半分は、第１ビーム分配器１０２の手段により空間光変調器１０３に向かって送られる。放射線束のこの部分は、信号ビームＳＢと呼ばれる。放射源１００により生成された放射線束の半分は、第１偏光器１０７の手段により第１望遠鏡１０８に向かって偏向される。放射線束のこの部分は、基準ビームＲＢと呼ばれる。信号ビームＳＢは、空間光変調器１０３の手段により空間的に変調される。空間光変調器１０３は、光透過領域及び吸収領域を含み、記録されるべきデータページの０及び１データビットに対応する。信号束が空間光変調器１０３を通過した後に、ホログラフィック媒体１０６に記録されるべき信号、即ち記録されるべきデータページを運ぶ。信号束は、レンズ１０５の手段によりホログラフィック媒体１０６に焦点を合わせられる。
【００２０】
基準ビームＲＢは又、第１望遠鏡１０８の手段によりホログラフィック媒体１０６に焦点を合わせられる。データページはこのように、信号ビームＳＢと基準ビームＲＢとの間の干渉の結果として干渉縞の形で、ホログラフィック媒体１０６に記録される。ひとたびデータページがホログラフィック媒体１０６に記録されると、もう１つのデータページがホログラフィック媒体１０６の同じ位置に記録される。この目的のために、このデータページに対応するデータは、空間光変調器１０３に送られる。第１偏光器１０７は回転されるので、ホログラフィック媒体１０６に関する基準信号の角度は、修正される。第１望遠鏡１０８は、回転中基準ビームＲＢを同じ位置に保つために使われる。干渉縞はこのように、ホログラフィック媒体１０６の同じ位置に異なるパターンで記録される。これは角度多重化(angle  multiplexing)と呼ばれる。複数のデータページが記録されるホログラフィック媒体１０６の同じ位置は、ブック(book)と呼ばれる。
【００２１】
代替的に、放射線束の波長は、同じブックの異なるデータページを記録するために同調可能である。これは波長多重と呼ばれる。シフト多重化のような他種類の多重化は又、ホログラフィック媒体１０６のデータページに記録するために使われてもよい。そのような多重化技術は又、上述の文書「ホログラフィックデータ保存システム」中に記述される。
【００２２】
ホログラフィック媒体１０６からデータページの読み出しの間、空間光変調器１０３は、完全に吸収性にされるので、放射線束のどんな部分も空間光変調器１０３を通る事ができない。第１偏光器１０７は取り除かれるので、放射源１００によって作られた第１ビーム分配器１０２を通る放射線束の１部分は、第１鏡１０９、２分の１波長板１１０及び第２鏡１１１を介し第２偏光器１１２に達する。もし、角度多重化がホログラフィック媒体１０６にデータページを記録するために使われ、与えられたデータページが読み出されるべきなら、第２偏光器１１２は、ホログラフィック媒体１０６に関するその角度が、この与えられたホログラムを記録するために使われた角度と同じであるように配置される。第２偏光器１１２により偏向され且つ第２望遠鏡１１３の手段によりホログラフィック媒体１０６に焦点を合わせられた信号はこのように、この与えられたホログラムを記録するために使われた基準信号の位相共役である。もし例えば波長多重が、ホログラフィック媒体１０６のデータページを記録するために使われ、与えられたデータページが読み出されるべきなら、この与えられたデータページを読み出すために同じ波長が使われる。
【００２３】
基準信号の位相共役は情報パターンにより回析され、再構築された信号ビームを作り、レンズ１０５及び第２ビーム分配器１０４を介し検出器１１４に達する。画像化データページはこのように、検出器１１４に作られ、前記検出器１１４により検出される。検出器１１４は画素を含む。１実施例において各画素は、画像化データページの１ビットに対応する一方、もう１つの実施例（ここで好まれる）において検出器１１４は、画像化データページよりも多い画素を有する。つまり画像は、検出器１１４によりオーバーサンプリングされる。とにかく、画像化データページの１ビット又は与えられた数のビットは、検出器１１４の対応する画素に当たるように、画像化データページは注意深く、検出器１１４に整列されなければならない。
【００２４】
システム内に多くの自由度があるので、画像化データページは常に注意深く検出器１１４に整列されるとは限らない。例えば、再構築された信号ビームの軸に垂直な方向の、検出器１１４に関するホログラフィック媒体１０６の変位は、翻訳ずれ(translational  misalignment)に導く。ホログラフィック媒体１０６又は検出器１１４の回転は、画像化データページと検出器１１４との間の角度誤差へと導く。再構築された信号ビームの軸に平行な方向の、検出器１１４に関するホログラフィック媒体１０６の変位は、倍率(magnification)誤差へと導き、それは画像化データページの１ビット（又は与えられた数のビット）の大きさは、検出器１１４の画素の大きさから異なる事を意味する。
【００２５】
更に、上に説明した通り、データ書き込み中のレーザービームにおける空間光強度変動は、読み出し時と同様に、読み出し時の獲得画像における望ましくない変化へと導く。更に、画像検出器１１４の一様でない画素応答は、これらの望ましくない変化へと加わる。加えて、ホログラフィック媒体１０６は、レーザー光を不均一に散乱し、画像内の強度ちらつきを更に深刻にする。これらの変化は、正しいビット検出を難しくする。
【００２６】
たびたび、上に説明した通り、データは、低ユーザービット誤り率を達成するためにバランスのとれた又はとれないブロック変調符号を用い符号化される。バランスされたブロック変調符号（例えば６：８符号）において、データページは、画素の所定数（２＊４＝８）の下位配列に分けられ、これらの下位配列の各々は、所定数の０及び１（８画素の下位配列は正しく４つの０と４つの１を含む）を含む。バランスされていないブロック変調符号において、データページは、画素の所定数の下位配列に分けられるが、０の所定数は、１の所定数とは異なる。これらの数はしかし、全ての下位配列について等しい。本発明を示すために、以下にバランスされた６：８ブロック変調符号が考慮される。
【００２７】
各下位配列の位置を決定するためにデータページに典型的に一体化した基準又はアラインメントマークを使う代わりに、本発明実施例に従いブロックのアラインメントを決定するために各ブロックの積算強度のばらつき／分布を使用することが提案される。完全なアラインメントの場合におけるように、各ブロックの積算強度は、常に４（４つの０と４つの１を各ブロックに有する６：８符号の例について）であり、ばらつきは理想的には０である。というのは少なくとも２つの異なるブロックからの如何なる他の非整列画素も、積算強度に貢献し、４つの０と４つの１の符号制約が欠如し、この積算強度のデータページ上の相当のばらつきとなる結果となる。
【００２８】
図２は、典型符号である２＊４画素の下位配列のための８つの異なるアラインメント構成Ｃ１からＣ８を示す。これらの構成のうち第１構成Ｃ１のみ整列している。実線Ｓは、２＊４下位配列の境界を示し、点線Ｄは、個々の画素を示し、斜線で満たされたＢは、前記構成内の下位配列の推定アラインメントを示す２＊４ドメイン(domains)である（構成毎に唯１つ示される）。ある構成に従い想定されたアラインメントが正しいかどうか決定するために、複数の前記２＊４ドメインの強度は、以下に説明される通り合計され評価される。
【００２９】
既に述べたとおり、非整列の位置について積算強度は、データページ上相当なバラツキを示す。このバラツキの大きさを決定するために、図２に示された全ての可能な８つの異なるアラインメント構成Ｃ１からＣ８の分布関数が計算される。対称性から、構成Ｃ６は構成Ｃ２に類似で、構成Ｃ７は構成Ｃ３に類似で、構成Ｃ８は構成Ｃ４に類似で、各ペアにつき同一の統計を生み出し、構成Ｃ１からＣ５のみを考えることを可能にする事を示すことは容易である。構成Ｃ２からＣ５の各々について積算強度値が０から８の間に見つかる確率は計算され、図３に示されるグラフに記述される。明らかに構成Ｃ1は、積算値４につき確率１をもたらし、そうでなければ０である。構成Ｃ１についての確率は、図３に示されない。
【００３０】
図３から積算強度におけるバラツキは、３〜４のＦＷ／ＨＭ（最大値の半分で全幅）で有意である事は明らかである。本発明により提案された方法は、データページのどこに２＊４下位配列が位置し、どれが正しいアラインメントかを決定できる事を証明する。
【００３１】
本発明の一般的概念の主ステップを示すフローチャートは、図４に示される。上述の画像（ステップＳ１）を普通の方法で取り込んだ後、反復手続きは、取り込まれた画像内の下位配列の正しいアラインメントが決定される事に始まる。
【００３２】
前記反復の一回目で、ブロックの第１アラインメントが想定され、即ち全ての可能な構成（例えば図２に示された８つの異なる構成Ｃ１からＣ８の１つ、典型的６：８符号について）は選択され、前記アラインメントが正しいかどうか決定される。したがって、前記反復の第１ステップＳ２において、確率関数は、十分な統計を有するために、複数のブロック、特に画像の実質部分の２＊４ブロックについての強度を合計する事により図２及び３を参照して上述のように決定される。言い換えると、前記反復で選択された構成に従い仮定的に整列された、取り込まれた画像の複数のブロックについて、各ブロックの０と１の数及び各ブロックについての合計が形成される。これが複数のブロックについて為されるので、非整列の位置では合計は各異なるブロックで違う可能性があるので、図３に示されたような確率関数を得ることができる。
【００３３】
反復の次のステップＳ３において、前記反復において得られた確率関数のパラメータ、好ましくは幅は決定され、それに基づき、パラメータが所定の条件を遂行するか否か、例えば幅が所定の幅より小さいかどうか決定される。これは基本的に、正しいアラインメントを示す積算値４で確率関数が唯１つの頂点を含むかどうか、又はそのような単一の頂点ではなく、分布確率を持つ図３に示されたような形の曲線が存在するかの決定に対応する。
【００３４】
このように、ステップＳ３における決定は、次の反復ステップにおいて、Ｓ２及びＳ３が実行された後ブロックが非整列である事があり得る。前もってしかし、ステップＳ４において、仮定されたアラインメントは変化可能で、即ち、例えば１つの画素により全てのブロックを水平及び／又は垂直にシフトする事によりもう１つの構成が選択される。もし他方、ステップＳ３における決定が、仮定されたアラインメントは正しいという結果を与えるなら、次のステップＳ５において取り込まれた画像からのブロック変調データはブロックの決定されたアラインメントに基づき復号化される。即ち０と１が好ましくは、標準分類アルゴリズムを用い決定される。その後、データページの読み出しは、基本的に終了する（ステップＳ６）。
【００３５】
反復は好ましくは、正しいアラインメントが発見されるまで続く。代替的に、反復を用いる代わりに、全ての可能な構成のための確率関数を決定し、アラインメントを最適に示す確率関数を探索する事も又可能である。
【００３６】
好ましくは、本発明の光学的ホログラフィック装置は、本発明の方法を用いるデータページのより容易でより速い読み出しを可能にする以下の（義務的でない）条件を遂行する。好ましくは、ＳＬＭ１０３の各画素は、検出器配列１１４の１画素に正確に対応する：
スケーリング(scaling)：ＳＬＭ及び検出器配列の画素は、同じ大きさを持つ。
回転：ＳＬＭ及び検出器配列の画素行／列は、並行に整列される。
翻訳：ＳＬＭ及び検出器配列の画素の中央部は、一致する。
【００３７】
上記で、本発明の実施例は、バランスされたブロック変調符号、特に６：８符号という観点で述べられてきた。しかし、本発明は、如何なる他のバランスされたブロック変調符号にも等しく適用できる事は明白である。
【００３８】
更に、本発明は又、バランスされていないブロック変調符号にも適用できる。バランスされていないブロック変調符号について図３のような分布は歪む、即ちピーク位置がシフトし分布（確率）関数は、非対称グラフを持つ。
【００３９】
一般的に、ｍ配列(m-ary)記号を二進数ビットよりもデータページ中に保存することも又可能で有るが、検出は、二進数システム中よりも難しい。従って、本発明中で使用される「ビット」という術語は、唯２つの異なる値を有する「二進数ビット」の意味に限られてはならず、２つ以上の異なる区別できる値を有することができる「ｍ配列記号」の意味として構成されなければならない。簡単に言うと、２進システムにおいては、画素強度は２つの異なるピーク（整列ブロックについて）：ある低強度レベル周辺の１つのピークと高強度レベル周辺の他のピークに分布する。もしこれらの２つのピークが明白に分離されているなら（中強度レベルの画素無しで）、スライサー(slicer)レベルを設定でき、このレベル以下の強度を持つ全ての画素は、「０」として検出され（解釈され）このレベルより上の強度を持つ全ての画素は、「１」として検出され（解釈され）る。ｍ配列記号システムにおいて、画素強度は、２つ以上のピークに分布される。全てのピーク分布が十分に分離されるという必要性の充足は、より難しくなり、結果的にスライサーレベルの設定になる。
【００４０】
一般に、本発明によるアラインメントを決定する方法は、各検出された画像化データページに別々に適用される。しかし、もし２つのデータページの読み出し間のシステムの光学的アラインメントが、第１のデータページと同じ位置で第２のデータページを読み出し始めるのに十分安定であるなら、アラインメント方法を唯１回２，３のデータページのために実行するだけで十分であり得る。
【００４１】
上記に本発明の実施例は、ブロックが整列されたかどうか決定するために積算強度が使われる図面を参照して説明される。しかし、一般的に、データページに記録されたデータを変調するためにブロック変調符号に適用された記号制約が実行されたかどうかの検出を可能にする限り、この目的のために関数の如何なる有意値も使用可能である。
【００４２】
決定された確率関数の幅を決定することは又義務ではないが、（確率）分布の、例えば最高値レベル、歪み、尖度又は他の高次運動量のようなより多くの情報を得るために同様に、確率関数の他の機能を評価する事ができる。
【００４３】
本発明は、図面及び前述の記述を参照して詳述されてきたが、そのような図示及び記述は図示及び例示と考えられ、制限的ではない。本発明は、開示例には限られない。一般的に、本発明に横たわる概念は、ホログラフィックデータ保存システムのみに適用されるのではなく、画像プロセスがフラットフィールド(flat  field)矯正及び暗電流(dark  current)矯正を要する他のフィールドにおいてもまた適用可能である。
【００４４】
開示例に対する他の変化は、図面、明細書及び特許請求の範囲の研究からクレーム発明を実践するに際し、当業者によって理解可能で、且つ達成可能である。
【００４５】
「含む」の語は、与えられた特許請求の範囲他の要素又はステップの存在を除外しない。「１つの」の語は、複数を除外しない。単ユニットは、特許請求の範囲中に挙げられた数項目の機能を果たす。ある手段が互いに異なる従属項中に挙げられているという単なる事実は、これらの手段の組み合わせが有利に使用できない事を示さない。
【００４６】
コンピュータプログラムを、一緒に供給され又は他のハードウエアの部分としての光学保存媒体又は半導体媒体のような適切な媒体に保存／配布できるのみでなく、インターネット又は他の有線又は無線通信システムを介すような他の形でも配布できる。
【００４７】
特許請求の範囲内の如何なる参照符号も、本発明の範囲を制限しない。
【図１】
2010504551.tif 000003
【図２】
2010504551.tif 000004
【図３】
2010504551.tif 000005
【図４】
2010504551.tif 000006
【国際調査報告】
2010504551.tif 000007
2010504551.tif 000008
2010504551.tif 000009